(57)【要約】【課題】シャッタが不用意に開けられるのを防止することのできるディスクカートリッジを提供する。【解決手段】ディスクカートリッジにはロック機構１６が設けられている。ロック機構１６は、ケースに設けられた突条１８と、シャッタに設けられ突条１８に対して直角方向に移動自在で且つ異なる位置に溝１９が形成された複数のロックピン１７Ａ〜１７Ｆとからなり、通常、溝１９内に突条１８は挿通不可能で、シャッタは移動できずロックされる。そして、特定形状の鍵３７が係合してロックピン１７Ａ〜１７Ｆのすべてについて溝１９の位置が一致したときに、溝１９内に突条１８が挿通可能となって、シャッタのロックは解除される。【選択図】        図３
2004273013.tif 000002
【特許請求の範囲】
【請求項１】
情報記録媒体としてのディスクと、前記ディスクが回転自在に収納され開口部を有するケースと、前記ケースに往復移動自在に設けられ前記開口部を開閉するシャッタとを備えたディスクカートリッジであって、
前記シャッタが前記開口部を閉じているときに該シャッタをロックして、前記シャッタの移動を阻止するロック機構を設けたことを特徴とするディスクカートリッジ。
【請求項２】
請求項１に記載のディスクカートリッジにおいて、
前記ロック機構は、所定箇所に特定形状の鍵が係合されることにより、前記シャッタのロックを解除することを特徴とするディスクカートリッジ。
【請求項３】
請求項１に記載のディスクカートリッジにおいて、
前記ロック機構は、前記ケースに設けられた突条と、前記シャッタに設けられ前記突条に対して直角方向に移動自在で且つ異なる位置に溝が形成された複数のロックピンとからなり、特定形状の鍵が前記ロックピンに係合しロックピンのすべてについて前記溝の位置が一致したときに、前記溝内に前記突条が挿通可能となって前記シャッタのロックを解除することを特徴とするディスクカートリッジ。
【請求項４】
請求項１に記載のディスクカートリッジにおいて、
前記ロック機構は、前記ケースに設けられた棒状または線条部材と、前記シャッタに設けられ異なる位置に貫通孔が形成された複数のロックピンとからなり、特定形状の鍵が前記ロックピンに係合し前記ロックピンのすべてについて前記貫通孔の位置が一致したときに、前記貫通孔内に前記棒状または線条部材が挿通可能となって前記シャッタのロックを解除することを特徴とするディスクカートリッジ。
【請求項５】
ディスクカートリッジが挿入されるカートリッジ挿入室と、前記ディスカートリッジをアクセス可能な所定位置と前記カートリッジ挿入室との間でローディングするローディング機構と、前記ローディングに伴って前記ディスクカートリッジのシャッタに係合し開閉するシャッタ開閉機構とを備えたディスクドライブ装置であって、
情報読み込み可能なディスクカートリッジが挿入されたときのみ、前記シャッタ開閉機構がシャッタに係合してシャッタを開閉することを特徴とするディスクドライブ装置。
【請求項６】
請求項５に記載のディスクドライブ装置において、
前記ディスクカートリッジは、前記シャッタ開閉機構がシャッタに係合したとき以外は、常時シャッタ開閉を妨げるロック機構を有することを特徴とするディスクドライブ装置。
【請求項７】
請求項６に記載のディスクドライブ装置において、
前記ディスクカートリッジは、前記ロック機構として、前記ケースに設けられた突条と、前記シャッタに設けられ異なる位置に溝が形成された複数のロックピンとを備え、
前記シャッタ開閉機構は特定形状の鍵を有し、この鍵は、前記ロックピンに係合してロックピンのすべてについて前記溝の位置を一致させることにより、前記溝内に前記突条が挿通可能となって前記ロック機構によるロックを解除することを特徴とするディスクドライブ装置。
【請求項８】
請求項６に記載のディスクドライブ装置において、
前記ディスクカートリッジは、前記ロック機構として、前記ケースに設けられた棒状または線条部材と、前記シャッタに設けられ異なる位置に貫通孔が形成された複数のロックピンとを備え、
前記シャッタ開閉機構は特定形状の鍵を有し、この鍵は、前記ロックピンに係合してロックピンのすべてについて前記貫通孔の位置を一致させることにより、前記貫通孔内に前記棒状または線条部材が挿通可能となって前記ロック機構によるロックを解除することを特徴とするディスクドライブ装置。
【発明の詳細な説明】
【０００１】
【発明の属する技術分野】
本発明は、情報記録媒体としてのディスクを収納したディスクカートリッジ、およびそのディスクカートリッジに対して情報の読み書きを行うディスクドライブ装置に関する。
【０００２】
【従来の技術】
光ディスク、磁気ディスク等のディスクカートリッジとしては、図１４に示すようなディスクカートリッジ１が知られている（例えば、特許文献１参照）。
【０００３】
図１４において、ディスクカートリッジ１は薄型矩形状のケース２を有し、このケース２の内部には、図１５に示すような情報記憶媒体としてのディスク３が回転自在に収納されている。また、ケース２には、図１６に示すように、開口部４が形成され、この開口部４にはシャッタ５が設けられている。シャッタ５はバネ等の付勢部材（図示省略）により矢印Ａ１方向に付勢され、通常、開口部４は図１４のようにシャッタ５により閉じられている。
【０００４】
図示していないディスクドライブ装置にディスクカートリッジ１を装填すると、図１６に示すように、シャッタ５が開けられて開口部４を介して磁気ヘッドまたは光ヘッド等によって、ディスク３に情報を書き込んだり、ディスク３から情報を読み込んだりすることができる。
【０００５】
ディスクドライブ装置には、図１７に示すように、シャッタ操作アーム６が支軸７を中心にして矢印Ｂ１，Ｂ２方向に回動自在に設けられている。シャッタ操作アーム６は、常時、バネ等の付勢部材（図示省略）で矢印Ｂ２方向に付勢され、ディスクカートリッジ１がカートリッジ挿入室（図示省略）に挿入されていないときは、図の実線で示す位置にある。
【０００６】
シャッタ操作アーム６の先端にはローラ８が回動自在に設けられ、ディスクカートリッジ１をカートリッジ挿入室に矢印Ｃ１方向に挿入すると、シャッタ５の上端部に形成されたシャッタ開放穴９にローラ８が係合する。そして、ディスクカートリッジ１がカートリッジ挿入室の奥へローディングされると、シャッタ操作アーム６はディスクカートリッジ１に押されて矢印Ｂ１方向に回動しながら、シャッタ開放穴９に係合したローラ８がシャッタ５を矢印Ａ２方向に移動させる。このとき、シャッタ操作アーム６は図の二点鎖線で示す位置まで回動する。これにより、開口部４は、図１８に示すように開口し、ディスク３に対して情報の書き込みや情報の読み込みが可能な状態となる。
【０００７】
【特許文献１】
特開２００２−１７０３５７号公報
【０００８】
【発明が解決しようとする課題】
しかしながら、上記従来の技術では、ディスクカートリッジのシャッタを手動で容易に開けることができるため、ディスク面に埃が付着したり、不用意に触ってディスク面に傷を付けたりする恐れがある。
【０００９】
また、ディスクドライブ装置のカートリッジ挿入口にディスクカートリッジを挿入したとき、そのディスクカートリッジの規格（例えば記録密度等）が当該ディスクドライブ装置に適合していなくても、外形サイズがほぼ同じであれば、ディスクカートリッジはカートリッジ挿入室の奥へローディングされてしまい、誤動作を起こすという問題がある。
【００１０】
本発明の課題は、シャッタが不用意に開けられるのを防止するとともに、ディスクドライブ装置に適応していないディスクカートリッジが挿入されたときは、そのことを利用者に速やかに知らせることのできるディスクカートリッジ、およびそのディスクカートリッジ用のディスクドライブ装置を提供することにある。
【００１１】
【課題を解決するための手段】
上記課題を解決するために、本発明は、情報記録媒体としてのディスクと、前記ディスクが回転自在に収納され開口部を有するケースと、前記ケースに往復移動自在に設けられ前記開口部を開閉するシャッタとを備えたディスクカートリッジであって、前記シャッタが前記開口部を閉じているときに該シャッタをロックして、前記シャッタの移動を阻止するロック機構を設けたことを特徴としている。
【００１２】
上記構成によれば、シャッタが開口部を閉じているとき、つまりディスクドライブ装置から取り外されているときは、ロック機構によってシャッタはロックされ、開けることはできない。その結果、シャッタが不用意に開けられることはなく、ディスク面を保護することができる。
【００１３】
また、本発明では、前記ロック機構は、所定箇所に特定形状の鍵が係合されることにより、前記シャッタのロックを解除することを特徴としている。
【００１４】
上記特定形状の鍵は、通常、ディスクドライブ装置のカートリッジ挿入室に設けられる。このようにすれば、ディスクカートリッジをカートリッジ挿入室に挿入したときに、特定形状の鍵がロック機構の所定箇所に係合してシャッタのロックを解除し、シャッタは開けることが可能な状態となる。
【００１５】
また、本発明では、前記ロック機構は、前記ケースに設けられた突条と、前記シャッタに設けられ前記突条に対して直角方向に移動自在で且つ異なる位置に溝が形成された複数のロックピンとからなり、特定形状の鍵が前記ロックピンに係合しロックピンのすべてについて前記溝の位置が一致したときに、前記溝内に前記突条が挿通可能となって前記シャッタのロックを解除することを特徴としている。
【００１６】
上記構成によれば、特定形状の鍵をロックピンに係合させない限り、シャッタを容易に開けることは難しく、ディスク面の保護についての信頼性が向上する。
【００１７】
さらに、本発明では、前記ロック機構は、前記ケースに設けられた棒状または線条部材と、前記シャッタに設けられ異なる位置に貫通孔が形成された複数のロックピンとからなり、特定形状の鍵が前記ロックピンに係合し前記ロックピンのすべてについて前記貫通孔の位置が一致したときに、前記貫通孔内に前記棒状または線条部材が挿通可能となって前記シャッタのロックを解除することを特徴としている。
【００１８】
上記構成の場合も、特定形状の鍵をロックピンに係合させない限り、シャッタを容易に開けることは難しく、ディスク面の保護についての信頼性が向上する。
【００１９】
また、本発明は、ディスクカートリッジが挿入されるカートリッジ挿入室と、前記ディスカートリッジをアクセス可能な所定位置と前記カートリッジ挿入室との間でローディングするローディング機構と、前記ローディングに伴って前記ディスクカートリッジのシャッタに係合し開閉するシャッタ開閉機構とを備えたディスクドライブ装置であって、情報読み込み可能なディスクカートリッジが挿入されたときのみ、前記シャッタ開閉機構がシャッタに係合してシャッタを開閉することを特徴としている。
【００２０】
上記構成によれば、カートリッジ挿入室にディスクカートリッジが挿入され、そのディスクカートリッジが情報読み込み可能な、つまり当該ディスクドライブ装置に適応したディスクカートリッジであるとき、シャッタ開閉機構がシャッタに係合してシャッタを開閉する。
【００２１】
また、本発明では、前記ディスクカートリッジは、前記シャッタ開閉機構がシャッタに係合したとき以外は、常時シャッタ開閉を妨げるロック機構を有することを特徴としている。
【００２２】
挿入されたディスクカートリッジが当該ディスクドライブ装置に適応したディスクカートリッジであるかどうかを判別する構成としては、以下のものがある。
【００２３】
先ず第１に、前記ディスクカートリッジは、前記ロック機構として、前記ケースに設けられた突条と、前記シャッタに設けられ異なる位置に溝が形成された複数のロックピンとを備え、前記シャッタ開閉機構は特定形状の鍵を有し、この鍵は、前記ロックピンに係合してロックピンのすべてについて前記溝の位置を一致させることにより、前記溝内に前記突条が挿通可能となって前記ロック機構によるロックを解除することを特徴としている。
【００２４】
次に第２に、前記ディスクカートリッジは、前記ロック機構として、前記ケースに設けられた棒状または線条部材と、前記シャッタに設けられ異なる位置に貫通孔が形成された複数のロックピンとを備え、前記シャッタ開閉機構は特定形状の鍵を有し、この鍵は、前記ロックピンに係合してロックピンのすべてについて前記貫通孔の位置を一致させることにより、前記貫通孔内に前記棒状または線条部材が挿通可能となって前記ロック機構によるロックを解除することを特徴としている。
【００２５】
【発明の実施の形態】
以下、本発明の実施の形態を図面に従って説明する。
（実施の形態１）
図１および図２は本発明に係るディスクカートリッジ１１を示し、図１はシャッタ１２を閉じたときの正面図、図２はシャッタ１２を開いたときの正面図である。ディスクカートリッジ１１は樹脂製のケース１３を有し、ケース１３の内部には、情報記録媒体としてのディスク１４が回転自在に収納されている。また、ケース１３には開口部１５が形成され、この開口部１５にシャッタ１２が設けられている。シャッタ１２はＤ１，Ｄ２方向に往復移動自在となっており、通常、バネ等の付勢部材（図示省略）により矢印Ｄ１方向に付勢され、開口部１４は図１のようにシャッタ１２によって閉じられている。
【００２６】
ディスクカートリッジ１１にはロック機構１６が設けられている。このロック機構１６はシャッタ１２内側の上端角部に配置されている。図１および図２においては、シャッタ１２の上端角部を切り欠いて、シャッタ１２内側のロック機構１６を示している。
【００２７】
次に、ロック機構１６についてその構成を詳細に説明する。図３は、図１においてディスクカートリッジ１１のケース１３の背面側部分を取り除いて、シャッタ１２の内側からロック機構１６を見た図である。また図４は、図３において、シャッタ１２を開け始めたときの様子を示した図である。なお、図３および図４において、シャッタ１２は省略されている。
【００２８】
ロック機構１６は、図３に示すように、並列された６本のロックピン１７Ａ〜１７Ｆと１つの突条１８とを有している。ロックピン１７Ａ〜１７Ｆは細長い四角柱をなし、長さはすべて等しく形成されている。ロックピン１７Ａ〜１７Ｆの正面（ディスクカートリッジ内に露出した面）には溝１９がそれぞれ形成されている。
【００２９】
図５はロックピン１７Ａ，１７Ｃ，１７Ｆを示しており、（ａ）は側面図、（ｂ）は正面図である。ロックピン１７Ａ，１７Ｃ，１７Ｆの正面２０には、上述したように、右側面２１から左側面２２に貫通して凹状の溝１９が形成されている。溝１９は、ロックピン１７Ａ，１７Ｃ，１７Ｆの長さ（上下）方向の略中央部に形成されている。また、ロックピン１７Ａ，１７Ｃ，１７Ｆには、それらの背面（溝１９が形成された面とは反対側の面）２３に凹状の係合溝２４が形成されている。
【００３０】
図６はロックピン１７Ｂ，１７Ｄ，１７Ｅの側面図である。ロックピン１７Ｂ，１７Ｄ，１７Ｅの正面には、ロックピン１７Ａ，１７Ｃ，１７Ｆと同様に、凹状の溝１９が形成されている。ただし、ロックピン１７Ｂ，１７Ｄ，１７Ｅにおいては、溝１９はロックピン１７Ｂ，１７Ｄ，１７Ｅの長さ方向の中央部よりも下方（溝１９の幅に略等しい距離だけ下方）に形成されている。また、１７Ｂ，１７Ｄ，１７Ｅには、それらの背面（溝１９が形成された面とは反対側の面）に凹状の係合溝２５が形成されている。係合溝２５は、下側壁面２５Ａの位置がロックピン１７Ａ，１７Ｃ，１７Ｆの下側壁面２４Ａに一致して設けられ、また溝幅がロックピン１７Ａ，１７Ｃ，１７Ｆの係合溝２４の略半分の大きさに設定されている。
【００３１】
ロックピン１７Ａ〜１７Ｆは、図３および図４に示すように、上部に開口部を有するコ字状のケース体２６に収納されている。ケース体２６の内部には、ロックピン１７Ａ〜１７Ｆの下方にそれぞれバネ２７が設けられ、ロックピン１７Ａ〜１７Ｆは各バネ２７によって上方に付勢されている。また、ケース体２６の側壁部２８，２９には、それぞれ凹状の溝３０，３１が形成されている。これらの溝３０，３１の幅は、ロックピン１７Ａ〜１７Ｆに形成された溝１９の幅と略同じ大きさである。
【００３２】
図７は図３のＥ−Ｅ線に沿った断面図であり、図８は図４のＦ−Ｆ線に沿った断面図である。なお、図３や図４ではシャッタ１２やケース１３は省略されていたが、図７および図８ではシャッタ１２やケース１３が示してある。
【００３３】
突条１８は、図７および図８に示すように、ケース１３の背面壁１３Ａの内面に設けられ、その一側先端は、常時、ケース体２６の側壁部２９の溝３１に挿通されている（図３参照）。また、突条１８は、ロックピン１７Ａ〜１７Ｆの溝１９、および側壁部２８の溝３０に挿通可能な大きさに形成されている。
【００３４】
シャッタ１２の内側には突起３２が形成され、この突起３２はロックピン１７Ａ，１７Ｃ，１７Ｆの係合溝２４に係合されている。また、図示してないが、突起３２はロックピン１７Ｂ，１７Ｄ，１７Ｅの係合溝２５にも係合されている。
突起３２の上下方向の幅は、係合溝２４の溝幅の略半分で、また係合溝２５の溝幅よりも僅かに細くなっている。
【００３５】
このように、係合溝２４，２５がシャッタ１２の内側の突起３２に係合しているので、ロックピン１７Ａ〜１７Ｆは、バネ２７によって上方に付勢されていても、上方に飛び出してしまうことはない。
【００３６】
一方、ディスクドライブ装置に設けられ、図９に示すように、支軸３５を中心にして回動自在なシャッタ操作アーム３６の先端には鍵３７が取り付けられている。鍵３６の底面には突部３７Ａ，３７Ｃ，３７Ｆからなる凹凸パターンが形成され、この凹凸パターンは、ディスクカートリッジ１１のロック機構１６、つまり溝１９を有するロックピン１７Ａ〜１７Ｆの配列に合わせて形成されている。
なお、シャッタ操作アーム３６はシャッタ開閉機構を構成している。
【００３７】
上記構成において、図１０に示すように、カートリッジ挿入口にディスクカートリッジ１１をＣ１方向に挿入して所定位置まで押し込むと、ディスクカートリッジ１１のロック機構１６にシャッタ操作アーム３６先端の鍵３７が係合する。
すなわち、図４に示すように、鍵３７の突部３７Ａ，３７Ｃ，３７Ｆはロックピン１７Ａ，１７Ｃ，１７Ｆに対応して形成されており、鍵３７がロック機構１６に係合すると、突部３７Ａ，３７Ｃ，３７Ｆがロックピン１７Ａ，１７Ｃ，１７Ｆをバネ２７の付勢力に抗してそれぞれ下方に移動させる。ここでは、ロックピン１７Ａ，１７Ｃ，１７Ｆの下方への移動量は溝１９の溝幅に略等しい。
【００３８】
ロックピン１７Ａ，１７Ｃ，１７Ｆが下方に移動すると、ロックピン１７Ａ〜１７Ｆのすべてについて溝１９の位置が一致して、突条１８が溝１９内に挿通可能な状態、つまりシャッタ１２が図の矢印Ｇ方向に移動可能な状態となる。
【００３９】
例えば、ロックピン１７Ｆが下方に移動すると、ロックピン１７Ｆの溝１９がケース体２６の側壁部２８，２９に形成された溝３０，３１に一致する。ロックピン１７Ａ，１７Ｃについても同様である。ロックピン１７Ｂ，１７Ｄ，１７Ｅの溝１９は、ロックピン１７Ａ，１７Ｃ，１７Ｆの溝１９に対して、溝１９の溝幅分だけ下方に形成されており、ロックピン１７Ａ，１７Ｃ，１７Ｆが下方に移動すると、ロックピン１７Ａ〜１７Ｆの溝１９とケース体２６の溝３０，３１は一直線上に並ぶことになる。その結果、これらの溝１９，３０内に突条１８を挿通させることができるようになり、シャッタ１２が移動可能となる。
【００４０】
ロックピン１７Ａ，１７Ｃ，１７Ｆは、ロック機構１６に鍵３７が係合していないときは、図７に示すように、係合溝２４の下半分に突起３２が係合し、ロック機構１６に鍵３７が係合しているときには、図８に示すように、突起３２は係合溝２４の上半分に係合する。このように、係合溝２４は上下方向に余裕を持って形成されているので、ロックピン１７Ａ，１７Ｃ，１７Ｆの上下方向への移動を妨げることはない。
【００４１】
上記のように、ロック機構１６に鍵３７が係合すると、ロック機構１６のロックが解除され、図１０に示すように、ディスクカートリッジ１１の矢印Ｃ１方向へのローディングに伴って、シャッタ操作アーム３６は支軸３５を中心にして矢印Ｂ１方向に回動し、これによって、シャッタ１２は、図１１に示すように矢印Ａ２方向へ移動する。その結果、ディスクカートリッジ１１は開口部１５が開けられて、読み書き可能な状態となる。
【００４２】
本実施の形態によれば、ディスクカートリッジ１１にロック機構１６を設けたので、シャッタ１２が不用意に開けられることは無く、ディスク１４に傷を付けたり、ディスク１４に埃が付着するのを防止できる。
【００４３】
ロックピン１７Ａ，１７Ｃ，１７Ｆのような形状のロックピンと、ロックピン１７Ｂ，１７Ｄ，１７Ｅのような形状のロックピンとの組み合わせからなるロック機構に、突部３７Ａ，３７Ｃ，３７Ｆのような突部を有する鍵３７を係合させるとき、ロックピン１７Ａ，１７Ｃ，１７Ｆに対応する位置に、突部３７Ａ，３７Ｃ，３７Ｆのような突部が位置し、ロックピン１７Ｂ，１７Ｄ，１７Ｅのような形状のロックピンに対応する位置には突部が位置しないときのみ、鍵３７がロック機構１６に係合され、これによって始めて、カートリッジ挿入口に挿入されたディスクカートリッジが情報読み込み可能なものであると判断される。それ以外の場合は、挿入されたディスクカートリッジは情報読み込み可能なものではないと判断され、ローディングされることはなく、ディスクドライブ装置が誤動作を起こすのを未然に防止することができる。
【００４４】
なお、挿入されたディスクカートリッジが情報読み込み可能なものでないと判断されたときは、その旨の警告を発するように構成することができる。この場合、警告を表示部に表示してもよいし、音で警告してもよい。
【００４５】
（実施の形態２）
図１２および図１３は実施の形態２を示している。本実施の形態では、ロックピン１７Ａ〜１７Ｆに、溝１９の代わりに、貫通孔４１が設けられている。この貫通孔４１の位置は図５および図６の場合と同様である。
【００４６】
また、図示していないが、ケース１３の背面壁１３Ａの内面には、突条１８の代わりに、棒状部材または線条部材が設けられている。これら棒状部材または線条部材は貫通孔４１に挿通されるため、一側だけが背面壁１３Ａに固定され、他側は何にも支持されておらず、宙ぶらりんになっている。
【００４７】
本実施の形態の場合も、鍵３７をロックピン１７Ａ〜１７Ｆに係合させて、各貫通孔４０の位置が一致したときのみ、棒状部材または線条部材が挿通可能となり、実施の形態１と同様な効果が期待できる。
【００４８】
【発明の効果】
以上説明したように、本発明によれば、ディスクカートリッジにロック機構を設けたので、シャッタが不用意にあけられるのを防止できる。
【００４９】
また、ディスクドライブ装置に適応していないディスクカートリッジが挿入されたときは、ディスクカートリッジはローディングされないので、ディスクドライブ装置が誤動作を起こすのを未然に防止できる。
【図面の簡単な説明】
【図１】実施の形態１によるディスクカートリッジを示し、シャッタを閉めたときの正面図である。
【図２】実施の形態１によるディスクカートリッジを示し、シャッタを開いたときの正面図である。
【図３】ディスクカートリッジのケース背面側部分を取り除いて、シャッタの内側からロック機構を見た図である。
【図４】図３において、シャッタを開け始めたときの様子を示した図である。
【図５】ロックピンを示しており、（ａ）は側面図、（ｂ）は正面図である。
【図６】他のロックピンの側面図である。
【図７】図３のＥ−Ｅ線に沿った矢視図である。
【図８】図４のＦ−Ｆ線に沿った断面図である。
【図９】シャッタ操作アームの詳細図である。
【図１０】ディスクカートリッジをカートリッジ挿入口へ挿入したときの様子を示す図である。
【図１１】カートリッジ挿入口へ挿入されたディスクカートリッジがローディングされたときの様子を示す図である。
【図１２】実施の形態２によるロックピンの側面図である。
【図１３】実施の形態２による他のロックピンの側面図である。
【図１４】従来のディスクカートリッジの正面図である。
【図１５】ディスクの正面図である。
【図１６】シャッタが開けられたときの従来のディスクカートリッジの正面図である。
【図１７】従来のディスクカートリッジにおいてシャッタを開ける様子を説明した図である。
【図１８】従来のディスクカートリッジにおいてシャッタが開けられた様子を示す図である。
【符号の説明】
１１  ディスクカートリッジ
１２  シャッタ
１３  ケース
１４  ディスク
１５  開口部
１６  ロック機構
１７Ａ〜１７Ｆ  ロックピン
１８  突条
１９  溝
２６  ケース体
２７  バネ
３６  シャッタ操作アーム
３７  鍵
３７Ａ，３７Ｃ，３７Ｆ  突部
４１  貫通孔
【図１】
2004273013.tif 000003
【図２】
2004273013.tif 000004
【図３】
2004273013.tif 000005
【図４】
2004273013.tif 000006
【図５】
2004273013.tif 000007
【図６】
2004273013.tif 000008
【図７】
2004273013.tif 000009
【図８】
2004273013.tif 000010
【図９】
2004273013.tif 000011
【図１０】
2004273013.tif 000012
【図１１】
2004273013.tif 000013
【図１２】
2004273013.tif 000014
【図１３】
2004273013.tif 000015
【図１４】
2004273013.tif 000016
【図１５】
2004273013.tif 000017
【図１６】
2004273013.tif 000018
【図１７】
2004273013.tif 000019
【図１８】
2004273013.tif 000020